(57)【要約】【課題】部材１が、その止水面１ａを部材設置２，３側の止水面３ａに沿う方向に移動させ、部材１の止水面１ａと直交する当たり面１ｂを部材設置側２，３の当たり面２ｂに当たらせた状態にする過程を経て部材設置側２，３に設置されると共に、乾式止水材５が、前記過程において部材１の止水面１ａによって部材設置側２，３の止水面３ａの先端側に付勢される過程を経て止水面１ａ，３ａ間に介設された部材設置部の乾式水密構造において、止水面１ａ，３ａ間や当たり面１ｂ，２ｂ間の水密不良を防ぐことができるようにする。【解決手段】部材設置側２，３の当たり面２ｂに逃がし孔７が設けられ、該逃がし孔７に差し込まれた乾式止水材５の先端側が前記付勢によって該逃がし孔７内に逃がされている。【選択図】      図４
2006214163.tif 000002
【特許請求の範囲】
【請求項１】
部材が、その止水面を部材設置側の止水面に沿う方向に移動させ、部材の止水面と直交する当たり面を部材設置側の当たり面に当たらせた状態にする過程を経て部材設置側に設置されると共に、乾式止水材が、前記過程において部材の止水面によって部材設置側の止水面の先端側に付勢される過程を経て止水面間に介設された部材設置部の乾式水密構造において、
部材設置側の当たり面に逃がし孔が設けられ、該逃がし孔に差し込まれた乾式止水材の先端側が前記付勢によって該逃がし孔内に逃がされていることを特徴とする部材設置部の乾式水密構造。
【発明の詳細な説明】
【技術分野】
【０００１】
本発明は、部材設置部の乾式水密構造に関する。
【背景技術】
【０００２】
例えば、図６（イ）（ロ）に示すように、断面外周が正方形状のログ材２…，３…を下から上へと井桁状に組んでいき、その過程で、左右の直交ログ材３，３間に上下の正面側ログ材２，２間の空隙部分を閉鎖する空隙閉鎖部材１を設置していくことにより水密状態の外壁等を形成するような場合、図６（イ）に示すように、正面側のログ材２と左右の直交ログ材３，３との間の領域Ａ，Ａや、正面側ログ材２と空隙閉鎖部材１との間の領域Ａについては、それらの間に面状などをした乾式止水材を設置して正面側ログ材２を積み上げれば、適正な水密状態を形成することができる。
【発明の開示】
【発明が解決しようとする課題】
【０００３】
ところが、図６（ロ）に示すように、空隙閉鎖部材１と左右の直交ログ材３，３との間の領域Ｂ，Ｂでは、空隙閉鎖部材１が、その端部止水面１ａを直交ログ材３側の止水面３ａに沿う方向に移動させていくようにして設置されることになるので、それらの間に乾式止水材を設置すると、乾式止水材は、空隙閉鎖部材１の止水面１ａによって直交ログ材３側の止水面３ａの先端側に付勢される過程を経ることになり、この付勢によって、乾式止水材は、直交ログ材３側の止水面３ａの先端側や、空隙閉鎖部材１と正面側ログ材２との当たり面１ｂ，２ｂ間に寄せ込まれて局部的に集中してしまい、それが原因で止水面１ａ，３ａ間や当たり面１ｂ，２ｂ間に水密不良を生じさせてしまうおそれがある。
【０００４】
本発明は、上記のような問題点に鑑み、部材が、その止水面を部材設置側の止水面に沿う方向に移動させ、部材の止水面と直交する当たり面を部材設置側の当たり面に当たらせた状態にする過程を経て部材設置側に設置されると共に、乾式止水材が、前記過程において部材の止水面によって部材設置側の止水面の先端側に付勢される過程を経て止水面間に介設された部材設置部の乾式水密構造において、止水面間や当たり面間の水密不良を防ぐことができる、部材設置部の乾式水密構造を提供することを課題とする。
【課題を解決するための手段】
【０００５】
上記の課題は、部材が、その止水面を部材設置側の止水面に沿う方向に移動させ、部材の止水面と直交する当たり面を部材設置側の当たり面に当たらせた状態にする過程を経て部材設置側に設置されると共に、乾式止水材が、前記過程において部材の止水面によって部材設置側の止水面の先端側に付勢される過程を経て止水面間に介設された部材設置部の乾式水密構造において、
部材設置側の当たり面に逃がし孔が設けられ、該逃がし孔に差し込まれた乾式止水材の先端側が前記付勢によって該逃がし孔内に逃がされていることを特徴とする部材設置部の乾式水密構造によって解決される。
【０００６】
この構造では、乾式止水材が部材の止水面によって部材設置側の止水面の先端側に付勢されると、その付勢によって乾式止水材は部材設置側の当たり面の逃がし孔内に逃がされるので、乾式止水材が部材設置側の止水面の先端側や部材と部材設置側の当たり面間に局部的に集中することがなくなり、止水面間や当たり面間の水密不良を防ぐことができる。
【発明の効果】
【０００７】
本発明は、以上のとおりのものであるから、部材が、その止水面を部材設置側の止水面に沿う方向に移動させ、部材の止水面と直交する当たり面を部材設置側の当たり面に当たらせた状態にする過程を経て部材設置側に設置されると共に、乾式止水材が、前記過程において部材の止水面によって部材設置側の止水面の先端側に付勢される過程を経て止水面間に介設された部材設置部の乾式水密構造において、止水面間や当たり面間の水密不良を防ぐことができる。
【発明を実施するための最良の形態】
【０００８】
次に、本発明の実施最良形態を図面に基づいて説明する。
【０００９】
本実施形態では、断面外周が正方形状のログ材を下から上へと井桁状に組んでいき、その過程で、左右の直交ログ材間に上下の正面側ログ材間の空隙部分を閉鎖する空隙閉鎖部材を設置していくことで、外壁等を形成していく場合の乾式水密構造について説明をしていくが、本発明の乾式水密構造は、これに限られるものではなく、部材が、その止水面を部材設置側の止水面に沿う方向に移動させ、部材の止水面と直交する当たり面を部材設置側の当たり面に当たらせた状態にする過程を経て部材設置側に設置されると共に、乾式止水材が、前記過程において部材の止水面によって部材設置側の止水面の先端側に付勢される過程を経て止水面間に介設された部材設置部の乾式水密構造に広く用いることができるものである。
【００１０】
さて、図１に示す乾式水密構造において、１は部材としての空隙閉鎖部材である。また、２は正面側ログ材、３は右側の直交ログ材であり、左側の直交ログ材は図面上省略されており、これら正面側ログ材２と左右の直交ログ材３とで部材設置側が構成され、空隙閉鎖部材１は、その端部止水面１ａを部材設置側である直交ログ材３の止水面３ａに沿う方向に移動させ、空隙閉鎖部材１の止水面１ａと直交する当たり面１ｂを部材設置側である正面側ログ材２の当たり面２ｂに当たらせた状態にする過程を経て部材設置側である左右の直交ログ材３と正面側ログ材２とに囲まれた凹所に設置されるようになされている。
【００１１】
そして、４は第１乾式止水材、５は第２乾式止水材、６は第３乾式止水材であり、いずれも表面に粘着性のあるゴム状の弾力性を備えたひも状の止水材からなっており、第２乾式止水材５が本発明における乾式止水材を構成している。
【００１２】
第２乾式止水材５は、前記設置過程において空隙閉鎖部材１の端部止水面１ａによって部材設置側である直交ログ材３の止水面３ａの先端側、図面では下端側に付勢される過程を経て止水面１ａ，３ａ間に介設されており、設置側である正面側ログ材２の当たり面２ｂには、止水面１ａ，３ａの近傍に位置して逃がし孔７が設けられ、該逃がし孔７に差し込まれた第２乾式止水材５の先端側が前記付勢によって逃がし孔７内に逃がされた状態になっている。
【００１３】
第１乾式止水材４は、空隙閉鎖部材１の端部下面側と直交ログ材３の下面側にわたす態様において、これら下面側と正面側ログ材２の上面側との間に介設され、第２乾式止水材５と連続状態にされて、それらの間を止水状態にしている。
【００１４】
また、第３乾式止水材６は、空隙閉鎖部材１の端部上面側と直交ログ材３の端部上面側にわたされるようにして、これら上面側と正面側ログ材２の端部下面側との間に介設され、第２乾式止水材５と連続状態にされて、それらの間を止水している。
【００１５】
上記の第２乾式止水材５の施工方法を、第１，第３の乾式止水材４，６の施工方法と併せて順次に説明していくと、まず、図２（イ−１）（イ−２）に示すように、一本状態の直線状に延ばした第１乾式止水材４を、正面側ログ材２の端部上面側に設置し、その状態で、図２（ロ−１）（ロ−２）に示すように、直交ログ材３の設置を行い、直交ログ材３と正面側ログ材２とで第１乾式止水材４の長さ方向の一方の側を挟み込んで圧潰させた状態にする。なお、８は芯材で、正面側ログ材２と直交ログ材３とを連結するものである。また、正面側ログ材２等は中空材からなっている。
【００１６】
その後、図３（イ）〜（ニ）に示すように、第２乾式止水材５を、芯材８に回り込ませるようにして中間で二つ折り状態にし、２つ折りの両辺を第１乾式止水材４を挟み込んで連続させるように粘着させ、両辺の先端部を正面側ログ材２の上面に設けられている逃がし孔７に差し込んだ状態にする。
【００１７】
しかる後、図４（イ）（ロ）（ハ）に示すように、空隙閉鎖部材１を設置していく。この設置過程において、第２乾式止水材５は、空隙閉鎖部材１の端部止水面１ａによって直交ログ材３の止水面３ａの下端側に付勢されるが、この付勢によって、第２乾式止水材５は、その両辺先端側が、正面側ログ材２の上面側の逃がし孔７内に進出して逃がされていく。これにより、第２乾式止水材５が部材設置側である直交ログ材３の止水面３ａの下端側や、空隙閉鎖部材１と正面側ログ材２の当たり面１ｂ，２ｂ間に局部的に集中することがなくなり、止水面１ａ，３ａ間や当たり面１ｂ，２ｂにおける水密不良を防ぐことができる。また、当たり面２ｂ，３ｂ間も第１乾式止水材４で適正に止水される。
【００１８】
そして、図５（イ）に示すように、一本状態の直線状に延ばした第３乾式止水材６を、第２乾式止水材５と連続するように、空隙閉鎖部材１の端部上面側と直交ログ材３の端部上面側にわたし、図５（イ）（ロ）に示すように、次の正面側ログ材２を設置すると、第３乾式止水材６は、上記の各上面側と正面側ログ材２の下面側との間に圧潰状態となって介設され、第２乾式止水材５と連続状態になって、それらの間が止水される。それ以降は、図２から図５の手順を繰り返していけばよい。
【００１９】
なお、上記の実施形態では、空隙閉鎖部材１の端部止水面１ａと、直交ログ材３の止水面３ａとの間を除く他の部分は、弾力性を有する面状の乾式止水材を挟み込んで止水されており、第１、第３乾式止水材４，６は、第２乾式止水材５を面状の乾式止水材と連続させる役割を担っている。
【００２０】
以上に、本発明の実施形態を示したが、本発明はこれに限られるものではなく、発明思想を逸脱しない範囲で各種の変更が可能である。例えば、上記の実施形態では、第２乾式止水材５が二つ折り状にされて２本状態で止水面１ａ，３ａ間に介設されている場合を示しているが、３本状態やそれ以上、あるいは、１本状態で、止水面１ａ，３ａ間に介設されていてもよい。また、上記の実施形態では、第２乾式止水材５の先端部の全体が逃がし孔７に差し込まれている場合を示しているが、第２乾式止水材５の先端側の中間部を逃がし孔に差し込み、先端側の最先端部分を空隙閉鎖部材１と正面側ログ材２の当たり面１ｂ，２ｂ間に突出させるようにしてもよい。また、上記の実施形態では、第２乾式止水材５の上端側を、正面側ログ材２と直交ログ材３とを連結する芯材８に保持させるようにしている場合を示しているが、他の部位に保持させるようにしてもよい。また、上記の実施形態では、部材の設置方向が上から下の方向である場合を示しているが、下から上であってもよいし、左右方向であってもよいし、斜め方向であってもよい。
【図面の簡単な説明】
【００２１】
【図１】実施形態の乾式水密構造を示すもので、図（イ）は平面図、図（ロ）は一部分解状態にした断面正面図である。
【図２】図（イ−１）及び図（ロ−１）はそれぞれ、図３〜図５と共に、乾式止水材の施工方法を順次に示す平面図、図（イ−２）及び図（ロ−２）はそれぞれ、同断面正面図である。
【図３】図（イ）は断面正面図、図（ロ）及び図（ハ）はそれぞれ平面図、図（ニ）は図（ハ）のＩ−Ｉ線断面矢視図である。
【図４】図（イ）〜図（ハ）はそれぞれ断面正面図である。
【図５】図（イ）及び図（ロ）は断面正面図である。
【図６】図（イ）及び図（ロ）はそれぞれ、部材設置部の関連技術を示す正面図である。
【符号の説明】
【００２２】
１…空隙閉鎖部材（部材）
１ａ…止水面
１ｂ…当たり面
２…正面側ログ材（部材設置側）
２ｂ…当たり面
３…直交ログ材（部材設置側）
３ａ…止水面
５…第２乾式止水材（乾式止水材）
７…逃がし孔
【図１】
2006214163.tif 000003
【図２】
2006214163.tif 000004
【図３】
2006214163.tif 000005
【図４】
2006214163.tif 000006
【図５】
2006214163.tif 000007
【図６】
2006214163.tif 000008